(57)【要約】      （修正有）【課題】車用シートバックトレイブラケットを提供する。【解決手段】車用シートバックトレイブラケットは、固定ユニット１と、吊り下げ板２と、トレイ３と、配置ユニット４とを含む車用シートバックトレイブラケットであって、固定ユニットは、ステーに固定するためのものであり、ステーは、シートバックに設けられ、ヘッドレストを支持しており、吊り下げ板は、位置が相反する背後領域２１及び前板領域を有し、背後領域には、高さが異なる複数の調整部品２３が形成され、固定ユニットが複数の調整部品のうちの１つに結合され、前板領域には、複数のクリップ２４を有し、トレイは、吊り下げ板の底部に枢接され、折り畳み状態において吊り下げ板に密着し、引かれた後に水平になり、吊り下げ板に垂直し、配置ユニットは、トレイにおける吊り下げ板と対向する面の背面に設けられ、トレイとの間にボックスを取り付け可能である。【選択図】図２
0003235625.tif 000002
【実用新案登録請求の範囲】
【請求項１】
固定ユニットと、吊り下げ板と、トレイと、配置ユニットとを含む車用シートバックトレイブラケットであって、
前記固定ユニットは、少なくとも１つのステーに固定されるためのものであり、前記ステーは、シートバックに設けられ、ヘッドレストを支持し、
前記吊り下げ板は、位置が相反する背後領域及び前板領域を有し、前記背後領域に高さが異なる複数組の調整部品が形成され、前記固定ユニットが少なくとも一組の前記調整部品に結合され、前記前板領域に複数のクリップが分布され、
前記トレイは、前記吊り下げ板の底部に枢接され、折り畳み状態において前記吊り下げ板に密着し、引かれた後に水平になって前記吊り下げ板に垂直し、
前記配置ユニットは、前記トレイにおける前記吊り下げ板と対向する面の背面に設けられ、前記トレイとの間にボックスを取り付け可能であることを特徴とする、
車用シートバックトレイブラケット。
【請求項２】
前記固定ユニットは、ベルトであり、
前記ベルトは、締め付け長さを制御するための調整バックルが設けられ、かつ、前記ステーの外周に巻き付けされることにより、締め付けて固定する目的を達成することを特徴とする、
請求項１に記載の車用シートバックトレイブラケット。
【請求項３】
前記調整部品は、架橋部と、通路とを含み、
複数の前記架橋部は、前記背後領域の異なる位置に分布され、異なる高さに応じて組み分け可能であり、
前記架橋部ごとに、前記通路が形成され、
前記ベルトを前記通路に通り抜けさせることにより、前記固定ユニットの一部が前記調整部品に制限されることを特徴とする、
請求項２に記載の車用シートバックトレイブラケット。
【請求項４】
複数の前記クリップは、間隔を置いて並べるように分布され、
少なくとも１つの前記クリップでポータブル電子製品を挟持可能であり、前記ポータブル電子製品は挟持状態において前記前板領域の表面に密着されることを特徴とする、
請求項１に記載の車用シートバックトレイブラケット。
【請求項５】
ドリンクホルダーを更に有し、
前記ドリンクホルダーは、前記吊り下げ板に枢接されて前記前板領域に位置し、少なくとも１つの筐体を有し、かつ、非使用時に前記吊り下げ板に密着可能であり、引かれた後に水平になって前記吊り下げ板に垂直することを特徴とする、
請求項１に記載の車用シートバックトレイブラケット。
【請求項６】
前記配置ユニットは、少なくとも１つの弾性バンドと、カバー板とを含み、
前記カバー板は、前記弾性バンドを介して前記トレイに連結され、その中央に開口部を有し、
前記カバー板と前記トレイとの距離が調整可能であることを特徴とする、
請求項１に記載の車用シートバックトレイブラケット。
【請求項７】
前記配置ユニットは、少なくとも１つの弾性バンドと、布カバーとを含み、
前記布カバーは、前記弾性バンドを介して前記トレイに連結され、その中央に開口部を有し、前記ボックスを覆いて前記トレイに固定可能であることを特徴とする、
請求項１に記載の車用シートバックトレイブラケット。
【請求項８】
前記配置ユニットは、少なくとも１つの弾性バンドと、網袋とを含み、
前記網袋は、弾力性を有し、引っ張られることによりそのサイズを大きくでき、前記弾性バンドを介して前記トレイに連結され、前記ボックスを受容可能であることを特徴とする、
請求項１に記載の車用シートバックトレイブラケット。
【請求項９】
前記トレイは、その外壁に少なくとも１つの結合座が設けられ、
前記結合座は、他の付属品を取り付けるためのものであることを特徴とする、
請求項１に記載の車用シートバックトレイブラケット。
【請求項１０】
前記吊り下げ板は、その垂直側壁に少なくとも１つのフックが形成されることを特徴とする、
請求項１に記載の車用シートバックトレイブラケット。
【考案の詳細な説明】
【技術分野】
【０００１】
本考案は、トレイブラケットに関し、特に、車内座席のヘッドレストのステーに取り付けられ、かつ折り畳み又は展開して使用可能なトレイブラケット構造に関する。
【背景技術】
【０００２】
現在、自動車は、一般的な交通手段である。ポータブル電子製品、例えば、スマートフォン、タブレットパソコンは、よく使わる通信又は娯楽用の装置である。運転手が運転しながらポータブル電子製品を使用することは非常に危険な行為であるが、乗客は車内でポータブル電子製品を使用することによって乗車中の退屈な時間を潰すことができる。
【０００３】
より快適な乗り心地を提供するために、一部のメーカーは後座席の乗客を対象に、前方の座席のシートバックに使われるブラケットを提供している。例えば、ポータブル電子製品を固定してビデオ鑑賞を可能になるためのブラケット、食べ物又は飲み物を置くための折り畳み式トレイ又はドリンクホルダーを提供するブラケットがある。本考案者は、後座席の乗客の色んな需要に満足でき、便利性が高い多機能ブラケット構造を設計することを考えました。
【考案の概要】
【考案が解決しようとする課題】
【０００４】
本考案の主な目的は、多機能な車用シートバックトレイブラケットを提供することである。前記車用シートバックトレイブラケットの構造は、容易に複数のステーに固定されることができる。前記ステーは、車内のシートバックに位置してヘッドレストを支持する。本考案の構造が展開されると、物置トレイが提供され、乗客が後座席に食べ物、飲み物のコップ、ノートパソコン等を置く一時的なテーブルを獲得できる。また、スマートフォン、タブレットパソコン等のポータブル電子製品が挟持され固定可能で、後座席の乗客はビデオ鑑賞が可能になる。更に、本考案に係る車用シートバックトレイブラケットは、ボックスを固定することもできるため、後座席の乗客が例えばティッシュボックス等を容易に使用できる。
【課題を解決するための手段】
【０００５】
上記の目的を達成するために、本考案に係る車用シートバックトレイブラケットは、固定ユニットと、吊り下げ板と、トレイと、配置ユニットとを含む車用シートバックトレイブラケットであって、前記固定ユニットは、少なくとも１つのステーに固定されるためのものであり、前記ステーは、シートバックに設けられ、ヘッドレストを支持し、前記吊り下げ板は、位置が相反する背後領域及び前板領域を有し、前記背後領域に高さが異なる複数組の調整部品が形成され、前記固定ユニットが少なくとも一組の前記調整部品に結合され、前記前板領域に複数のクリップが分布され、前記トレイは、前記吊り下げ板の底部に枢接され、折り畳み状態において前記吊り下げ板に密着し、引かれた後に水平になって前記吊り下げ板に垂直し、前記配置ユニットは、前記トレイにおける前記吊り下げ板と対向する面の背面に設けられ、前記トレイとの間にボックスを取り付け可能である。
【０００６】
好ましい実施例の１つとして、前記固定ユニットは、ベルトであり、前記ベルトは、締め付け長さを制御するための調整バックルが設けられ、かつ、前記ステーの外周に巻き付けられることにより、締め付けて固定する目的を達成する。
【０００７】
好ましい実施例の１つとして、前記調整部品は、架橋部と、通路とを含み、複数の前記架橋部は、前記背後領域の異なる位置に分布され、異なる高さに応じて組み分け可能であり、前記架橋部ごとに、前記通路が形成され、前記ベルトを前記通路に通り抜けさせるにより、前記固定ユニットの一部が前記調整部品に制限される。
【０００８】
好ましい実施例の１つとして、複数の前記クリップは、間隔を置いて並べるように分布され、少なくとも１つの前記クリップでポータブル電子製品を挟持可能であり、前記ポータブル電子製品は挟持状態において前記前板領域の表面に密着される。
【０００９】
好ましい実施例の１つとして、ドリンクホルダーを更に有し、前記ドリンクホルダーは、前記吊り下げ板に枢接されて前記前板領域に位置し、少なくとも１つの筐体を有し、かつ、非使用時に前記吊り下げ板に密着可能であり、引かれた後に水平になって前記吊り下げ板に垂直する。
【００１０】
好ましい実施例の１つとして、前記配置ユニットは、少なくとも１つの弾性バンドと、カバー板とを含み、前記カバー板は、前記弾性バンドを介して前記トレイに連結され、その中央に開口部を有し、前記カバー板と前記トレイとの距離が調整可能である。
【００１１】
好ましい実施例の１つとして、前記配置ユニットは、少なくとも１つの弾性バンドと、布カバーとを含み、前記布カバーは、前記弾性バンドを介して前記トレイに連結され、その中央に開口部を有し、前記ボックスを覆いて前記トレイに固定可能である。
【００１２】
好ましい実施例の１つとして、前記配置ユニットは、少なくとも１つの弾性バンドと、網袋とを含み、前記網袋は、弾力性を有し、引っ張られることによりそのサイズを大きくでき、前記弾性バンドを介して前記トレイに連結され、前記ボックスを受容可能である。
【００１３】
好ましい実施例の１つとして、前記トレイは、その外壁に少なくとも１つの結合座が設けられ、前記結合座は、他の付属品を取り付けためのものである。
【００１４】
好ましい実施例の１つとして、前記吊り下げ板は、その垂直側壁に少なくとも１つのフックが形成される。
【考案の効果】
【００１５】
本考案によれば、使用上便利であり、実用性が高く、様々な使用態様があるため、運用性に優れるトレイブラケットを提供することができる。
【図面の簡単な説明】
【００１６】
【図１】本考案に係るトレイブラケットの実施例１の斜視図である。
【図２】本考案に係るトレイブラケットの実施例１の下から見る斜視図である。
【図３】本考案に係るトレイブラケットの実施例１のドリンクホルダーの折り畳み状態を示す斜視図である。
【図４】本考案に係るトレイブラケットの実施例１のトレイの折り畳み状態を示す斜視図である。
【図５】本考案に係るトレイブラケットの実施例１の分解図である。
【図６】本考案に係るトレイブラケットの実施例１の使用状態を示す側面図１である。
【図７】本考案に係るトレイブラケットの実施例１の使用状態を示す側面図２である。
【図８】本考案に係るトレイブラケットの実施例２の斜視図である。
【図９】本考案に係るトレイブラケットの実施例２の使用状態を示す図である。
【図１０】本考案に係るトレイブラケットの実施例３の斜視図である。
【図１１】本考案に係るトレイブラケットの実施例３の使用状態を示す図である。
【図１２】本考案に係るトレイブラケットに他の付属品が使用される状態を示す模式図である。
【考案を実施するための形態】
【００１７】
図１及び図２は、それぞれ本考案に係る車用シートバックトレイブラケットの異なる角度の斜視図である。本考案に係るトレイブラケットは、固定ユニット１と、吊り下げ板２と、トレイ３と、配置ユニット４とを含む。前記固定ユニット１は、複数のステーに固定されるためのものである。前記吊り下げ板２は、位置が相反する背後領域２１及び前板領域２２を有する。前記背後領域２１には、高さが異なる複数組の調整部品２３が形成される。
【００１８】
前記固定ユニット１は、少なくとも一組の前記調整部品２３に結合される。前記前板領域２２には、複数のクリップ２４が分布される。前記トレイ３は、前記吊り下げ板２の底部に枢接され、折り畳み状態において前記吊り下げ板２に密着し、引かれた後に水平になって前記吊り下げ板２に垂直する。前記配置ユニット４は、前記トレイ３における前記吊り下げ板２と対向する面の背面に設けられ、前記トレイ３との間にボックスを取り付け可能である。これにより、前記トレイ３は、非使用時に折り畳んでスペースを節約することができ、展開後に水平になって食べ物、飲み物のコップ、ノートパソコン等を置くことができる。
【００１９】
また、ポータブル電子製品を前記吊り下げ板２に固定することにより、ビデオ鑑賞ができる。更に、前記配置ユニット４は、ティッシュボックスなどのボックスを固定することができる。そのため、本考案に係るトレイブラケットは、使用上便利であり、実用性が高く、様々な使用態様があるため、運用性に優れる。
【００２０】
以下、各部材の構造について説明する。
【００２１】
図１、図２及び図６に示すように、前記固定ユニット１は、ステー６１を固定するためのものであり、前記ステー６１は、車内のシートバック６２に位置してヘッドレスト６３を支持する。前記支柱６１は、車種により、１本であってもよく、複数本であってもよい。本実施例において、前記固定ユニット１は、ベルト１１である。前記ベルト１１は、前記ベルト１１の締め付け長さを制御する調整バックル１２が設けられる。これにより、前記固定ユニット１は、前記ステー６１に巻き付けて固定可能になる。また、前記ステー６１に固定される目的を達成することができれば、前記固定ユニット１は、弾性バンド又はカラビナ等であってもよい。
【００２２】
前記吊り下げ板２は、板であり、使用時に垂直になって固定される。前記吊り下げ板２は、位置が相反する前記背後領域２１及び前記前板領域２２を有する。前記背後領域２１には、高さが異なる複数組の調整部品２３が形成される。前記固定ユニット１の前記ベルト１１を前記調整部品２３に通り抜けさせることにより、前記吊り下げ板２の固定高さを調整する。本実例において、各前記調整部品２３は、架橋部２３１と、前記架橋部２３１の下方から形成された通路２３２とを含む。複数の前記の架橋部２３１は、前記背後領域２１の異なる位置に分布され、かつ、異なる高さに応じて組み分けされる。同じ高さの前記通路２３２は、前記ベルト１１を通り抜けさせることが可能である。前記ベルト１１の一部が前記調整部品２３に制限されることにより、前記固定ユニット１を前記吊り下げ板２に結合させる。
【００２３】
前記吊り下げ板２の前記前板領域２２には、複数の突出した前記クリップ２４が分布されている。前記クリッ２４は、弾力性を有し、かつ、その一部が前記吊り下げ板２に接続される。前記クリップ２４の開口が上方に向くため、前記ポータブル電子製品７を上から前記クリップ２４に置いて前記前板領域２２の表面に密着させることができる。前記ポータブル電子製品７は、例えば、携帯電話、タブレットパソコン、又は他のオーディオ及びビデオ再生装置であってもよい。本実施例において、複数の前記クリップ２４は、等間隔で並べるように前記前板領域２２に分布される。タブレットパソコンを固定したい時、２つ又は３つのクリップ２４を使用して挟持することができる。また、使用者のビデオ鑑賞が可能になるために、１つのクリップ２４を使用する場合、縦方向から携帯電話を挟持することができ、２つのクリップ２４を使用する場合、横方向から携帯電話を挟持することができる。
【００２４】
なお、前記吊り下げ板２の前記前板領域２２には、更にドリンクホルダー２５が設けられている。本実施例において、前記ドリンクホルダー２５は、コップ又は缶飲料を置くための、２つの四辺形を有する筐体であるが、それに限定されず、円形筐体又はＣ字型筐体であってもよい。前記ドリンクホルダー２５は、前記吊り下げ板２に枢接されて前記前板領域２２に位置する。図１に示すように、前記ドリンクホルダー２５は、引かれた後に水平になって前記吊り下げ板２に垂直する。図３に示すように、非使用状態において、前記ドリンクホルダー２５が引かれて前記吊り下げ板２に密着され、それにより、スペースを節約することができる。
【００２５】
なお、前記吊り下げ板２は、その両側の垂直側壁にそれぞれフック２６を有する。前記フック２６は、袋を掛けさせることができ、物を一時的に引っ掛けさせる箇所として機能する。
【００２６】
前記トレイ３は、前記吊り下げ板２の底部に枢接され、引かれた後に水平になって前記吊り下げ板２に垂直する。図４に示すように、前記トレイ３は、折り畳み状態において前記吊り下げ板２に密着する。図１に示すように、前記トレイ３の両側は、中央部より高い周囲壁部３１を有する。それにより、食物又は飲料缶、ノートパソコン又は他の物品は、落下しにくいように、前記トレイ３の中央に置かれることができる。前記周囲壁部３１は、少なくとも１つの切り欠き部３１１と、少なくとも１つの係止部材３１２とを更に有する。前記係止部材３１２は、前記周囲壁部３１の内側に位置し、前記トレイ３の中央に向かって突出する。これらの構造は、前記配置ユニット４を取り付けて固定するためのものである。
【００２７】
前記配置ユニット４は、前記トレイ３における前記吊り下げ板２と対向する面の背面に設けられる。前記配置ユニット４は、前記トレイ３との間にボックスを取り付けるためのものである。前記配置ユニット４は、様々な態様で使用されることができる。以下、いくつの態様について説明する。
【００２８】
図５に示すように、前記配置ユニット４は、少なくとも１つの弾性バンド４１と、カバー板４２とを含む。本実施例において、前記弾性バンド４１は、その一部が前記カバー板４２の周りに接続され、そのもう一部が前記トレイ３に結合される。前記蓋板４２の中央には、開口部４２１を有する。ボックスが前記カバー板４２と前記トレイ３との間に固定される場合に、前記開口部４２１は紙の取り出し口として利用される。
【００２９】
本実施例において、前記弾性バンド４１は、環状であり、その一部が前記カバー板４２に固定される。それにより、前記弾性バンド４１は、吊り金具の形状に形成され、前記カバー板４２の両側に位置する。
【００３０】
図１に示すように、前記弾性バンド４１を前記切り欠き部３１１に通し、複数の前記係止部材３１２で前記弾性バンド４１の一部を引っ掛けるにより、前記配置ユニット４と前記トレイ３とを結合する目的を達成することができる。非使用時に、前記弾性バンド４１の弾性によって前記カバー板４２を前記トレイ３に密着させることができる。ボックスを取り付ける時に、前記弾性バンド４１の伸びる可能な特性を利用して前記カバー板４２と前記トレイ３との距離を調整することにより、その間に大きさ及び種類が異なるボックス、例えば、ティッシュボックス、トイレットペーパーボックス、ウェットティッシュボックス等を取り付けることができる。
【００３１】
図６及び図７には、本考案に係る車用シートバックトレイブラケットの実際の使用状態を示している。本考案に係るトレイブラケットは、車内のバックシート６２の後ろに取り付けられる。前記ヘッドレスト６３は、少なくとも１本の前記ステー６１によって前記バックシート６２の上に固定される。
【００３２】
前記固定ユニット１は、まず、前記ベルト１１により、前記吊り下げ板２の対応する高さの前記調整部品２３に取り付けられ、その後、前記ベルト１１により、前記ステー６１の外周に巻き付けられる。それにより、前記吊り下げ板２を前記バックシート６２及び前記ヘッドレスト６３の後ろに固定する目的を達成することができる。
【００３３】
図６に示すように、前記トレイ３が下に引かれて水平になり、前記ドリンクホルダー２５も引かれて水平になると、前記トレイ３で置きたい物品を受け取ることができる。前記ドリンクホルダー２５は、飲み物のコップ又は飲料缶を置くことができる。前記クリップ２４によってポータブル電子製品７、例えば、タブレットパソコン又は携帯電話の底部の周辺を挟持することにより、前記ポータブル電子製品７を前記前板領域２２に密着させ、使用者はビデオ鑑賞又は携帯電話を使用することができる。ボックス８は、前記配置ユニット４によって前記トレイ３の底面に固定されることができ、前記弾性バンド４１の伸びる可能な特性により、異なる厚さを有する前記ボックス８に適用することができる。
【００３４】
図７は、前記トレイ３を折り畳んで前記吊り下げ板２に密着させる状態を示している。図７から分かるように、トレイ３が垂直でも水平でも、使用者は容易に前記ボックス８内の紙を取り出して使用することができる。
【００３５】
図８には、本考案の第２の実施例を示している。本実施例において、もう１種類の配置ユニット４Ａが使用されている。前記配置ユニット４Ａは、少なくとも１つの弾性バンド４１と、布カバー４３とを含む。前記布カバー４３は、前記弾性バンド４１に結合されている。前記弾性バンド４１は、吊り金具の形状であり、前記布カバー４３の両側に位置する。前記布カバー４３は、弾力性を有する伸縮可能な布又は袋であってもよい。本実施例においても、前記弾性バンド４１によって前記布カバー４３を前記トレイ３の両側の前記周囲壁部３１に固定する。前記布カバー４３は、その中央に開口部４３１を有する。図９に示すように、使用時に、前記ボックス８は前記布カバー４３で覆われて前記トレイ３の底部に固定されることができる。
【００３６】
図１０には、本考案の第３の実施例を示している。本実施例において、もう１種類の配置ユニット４Ｂが使用されている。前記配置ユニット４Ｂは、少なくとも１つの弾性バンド４１と、伸縮可能で弾力性を有する網袋４４とを含む。前記弾性バンド４１は、吊り金具の形状であり、前記網袋４４の両側に位置する。前記網袋４４は、弾力性を有する伸縮可能な網である。前記網袋４４も、前記弾性バンド４１によって前記トレイ３の両側の前記周囲壁部３１に固定される。前記網袋４４は、その中央に開口部４４１を有する。図１１に示すように、使用時に、前記ボックス８は前記網袋４４で覆われて前記トレイ３に固定されることができる。上記をまとめて、本考案に係る前記配置ユニット４は、１つの実施例に限定されず、前記ボックス８を前記トレイ３の一側に固定することができる構造であれば、本考案の配置ユニットとして利用されることができる。
【００３７】
図１２に示すように、前記トレイ３の外壁には、少なくとも１組の結合座３３、３４が形成されてもよい。前記結合座接３３、３４の構造は、付属品９の構造に対応する形状を有している。本実施例において、前記付属品９は、電源延長するためのソケットセットとしてもよく、結合座３３、３４に取り付けることにより、前記ポータブル電子製品７に電力を供給することができ、図において３セットが描かれているが、実際の使用では１セットの付属品のみが使用される。複数の異なる結合座３３、３４によれば、使用者は一番理想な位置に付属品を取り付けることができる。なお、前記付属品９の種類は、本実施例に限定されず、使用者の需要に応じて前記トレイ３に取り付けしたい他の付属品を選択することができる。
【００３８】
上記をまとめると、本考案に係る車用シートバックトレイブラケットは、容易に車内のバックシート６２の前記ステー６１に固定されることができる。前記トレイ３が展開されて水平状態になると、後座席の乗客は一時的なテーブルを獲得し、食べ物、飲み物のコップ、ノートパソコン等を置くことができる。また、スマートフォン、タブレットパソコン等の各種のポータブル電子製品は、挟持され前記吊り下げ板２に固定されることができ、それにより、後座席の乗客はビデオ鑑賞が可能になる。更に、ティッシュボックスなどのボックスを前記配置ユニット４で固定することにより、後座席の乗客が容易に使用できる。本考案は、実用性及び進歩性を有し、特許出願の要件を満たす。
【００３９】
なお、上記の実施例は本考案の効果の例示に過ぎず、本考案を制限するものではないため、本考案の精神から逸脱しない限り、当業者は上記の実施例を改良や変更することができる。また、上記の実施例に記載の部品の数は、例示的なものに過ぎず、限定的なものではない。よって、本考案の保護範囲は、実用新案登録請求の範囲の記載に基づいて定められる。
【符号の説明】
【００４０】
１  固定ユニット
１１  ベルト
１２  調整バックル
２  吊り下げ板
２１  背後領域
２２  前板領域
２３  調整部品
２３１  架橋部
２３２  通路
２４  クリップ
２５  ドリンクホルダー
２６  フック
３  トレイ
３１  周囲壁部
３１１  切り欠き部
３１２  係止部材
３３  結合座
３４  結合座
４  配置ユニット
４１  弾性バンド
４２  カバー板
４２１  開口部
４Ａ  配置ユニット
４３  布カバー
４３１  開口部
４Ｂ  配置ユニット
４４  網袋
４４１  開口部
６１  ステー
６２  バックシート
６３  ヘッドレスト
７  ポータブル電子製品
８  ボックス
９  付属品
【図１】
0003235625.tif 000003
【図２】
0003235625.tif 000004
【図３】
0003235625.tif 000005
【図４】
0003235625.tif 000006
【図５】
0003235625.tif 000007
【図６】
0003235625.tif 000008
【図７】
0003235625.tif 000009
【図８】
0003235625.tif 000010
【図９】
0003235625.tif 000011
【図１０】
0003235625.tif 000012
【図１１】
0003235625.tif 000013
【図１２】
0003235625.tif 000014